(57)【要約】【課題】調整機能の多様化を図りながらも、簡素な構造で堅牢かつ持ち運びに便利で、製造コストの低減化を促して普及・拡販可能な簡易型ゴルフ練習装置１を提供する。【解決手段】スイングの練習時、螺子部７、１０を一時的に緩めて第１ロッド６および第２ロッド９を軸周り方向に回動させたり、上下方向に移動させる。第１ロッド６および第２ロッド９がピボット部１３を介してガイドレール１１のスイング面を無方向に傾動させて、設置面ＧＬに対するガイドレール１１の高さ寸法Ｈおよび傾き角度θを調整可能にする。スイング面の無方向の傾動、ガイドレール１１の高さ寸法Ｈおよび傾き角度θを調整可能にするといった調整機能の多様化が図られ、使用者Ｕの体格、練習内容に的確に対応した最適の状態に設定可能となる。【選択図】図１
2015037484.tif 000002
【特許請求の範囲】
【請求項１】
設置面に設置される単一の支持筒部と、
前記支持筒部に軸周り方向に往復回動可能かつ上下方向に沿って伸縮移動可能に挿入されたロッドと、
前記ロッドに対応する箇所で、前記ロッドの先端にピボット部を介して旋回可能に連結されたループ状の軌条であって、ゴルフクラブをスイングする際、クラブシャフトの先端部を前記軌条に沿ってスライドさせるスイング面を成すガイドレールとを備え、
前記ピボット部は、前記ロッドの先端あるいは前記ガイドレールの前記ロッドに対応する位置のうち一方に形成した球面部と、他方に形成して前記球面部を摩擦摺動可能に嵌め込む球面状の凹陥部とから成り、
前記ロッドを前記軸周り方向に回動および上下方向に移動させることにより、前記設置面に対する前記ガイドレールの高さ寸法を調節可能にするとともに、前記ロッドが前記ピボット部を介して前記ガイドレールの前記スイング面を無方向に傾動させて、前記スイング面の傾き角度を調整可能にしており、
前記ガイドレールは、径方向に沿う最上端部および最下端部のうちいずれか一方に磁性体を設け、他方に前記磁性体に対応する磁石を設け、
前記ガイドレールの径方向に沿う最左端部および最右端部に、前記ガイドレールを上下の二つ折りに折畳み可能にするヒンジ部を有し、不使用時には、前記ヒンジ部により前記ガイドレールを上下に折り重ね、前記磁石を前記磁性体に吸着させて収納するようにしたことを特徴とする簡易型ゴルフ練習装置。
【請求項２】
設置面に設置される単一の支持筒部と、
前記支持筒部に軸周り方向に往復回動可能かつ上下方向に沿って伸縮移動可能に挿入されたロッドと、
前記ロッドに対応する箇所で、前記ロッドの先端にピボット部を介して旋回可能に連結されたループ状の軌条であって、ゴルフクラブをスイングする際、クラブシャフトの先端部を前記軌条に沿ってスライドさせるスイング面を成すガイドレールとを備え、
前記ピボット部は、前記ロッドの先端に貫通状態に形成した直線溝と、前記ガイドレールの前記ロッドに対応する位置の外周側に一体に形成され、前記直線溝内に嵌め込まれて上下方向に回動調整可能に摩擦係合された側路長部とから成り、
前記ロッドを前記軸周り方向に回動させたり、上下方向に移動させることにより、前記設置面に対する前記ガイドレールの高さ寸法を調整可能にするとともに、前記ロッドが前記ピボット部を介して前記ガイドレールの前記スイング面を所定の方向に傾動させることにより、前記設置面に対する傾き角度を調整可能にしており、
前記ガイドレールは、径方向に沿う最上端部および最下端部のうちいずれか一方に磁性体を設け、他方に前記磁性体に対応する磁石を設け、
前記ガイドレールの径方向に沿う最左端部および最右端部に、前記ガイドレールを上下の二つ折りに折畳み可能にするヒンジ部を有し、不使用時には、前記ヒンジ部により前記ガイドレールを上下に折り重ね、前記磁石を前記磁性体に吸着させて収納するようにしたことを特徴とする簡易型ゴルフ練習装置。
【請求項３】
設置面に所定の距離だけ離して設置される一対の支持部を成すように、水平筒部と垂直筒部とからエルボ状に形成されたスタンド筒部と、
前記スタンド筒部内で軸周り方向に往復回動可能かつ上下方向に沿って伸縮移動可能に挿入された第１ロッドと、
前記スタンド筒部の背後に設けられ、軸周り方向に往復回動可能かつ上下方向に沿って伸縮移動可能に挿入された第２ロッドを有する支持筒部と、
前記第１ロッドおよび前記第２ロッドに対応する箇所で、前記第１ロッドの先端および前記第２ロッドの先端にピボット部を介して旋回可能に連結されたループ状の軌条であって、ゴルフクラブをスイングする際、クラブシャフトの先端部を前記軌条に沿ってスライドさせるスイング面を成すガイドレールとを備え、
前記ピボット部は、前記第１ロッドの先端および前記第２ロッドの先端にそれぞれ形成した球面部と、前記ガイドレールの前記第１ロッドおよび前記第２ロッドに対応する位置に形成し、前記球面部を摩擦摺動可能に嵌め込む球面状の凹陥部から成り、
前記第１ロッドおよび前記第２ロッドを前記軸周り方向に回動させたり、上下方向に移動させることにより、前記第１ロッドおよび前記第２ロッドが前記ピボット部を介して前記ガイドレールの前記スイング面を無方向に傾動させて、前記設置面に対する前記ガイドレールの高さ寸法および傾き角度を調整可能にしており、
前記一対のスタンド筒部は、前記垂直筒を前記水平筒に向けて前記設置面に対して起き伏し可能に折畳み回動させる枢支部を有するとともに、前記一対のスタンド筒部は、第１ジョイント部により中央で左右の二つ折りに折畳み可能にされた設置管部で連結されており、前記支持筒部の下端部は、前記設置面に対して起き伏し回動可能となるように前記設置管部に連結され、前記ガイドレールは、径方向に沿う最上端部および最下端部に、前記ガイドレールを左右の二つ折りに折畳み可能にする第２ジョイント部を有し、
不使用時には、前記一対のスタンド筒部を前記垂直筒と一緒に前記設置面に伏せた状態で、前記設置管部を前記第１ジョイント部により左右に折り重ねるとともに、前記ガイドレールを前記第２ジョイント部により左右に折り重ねるようにしたことを特徴とする簡易型ゴルフ練習装置。
【請求項４】
前記ガイドレールは、径方向に沿う左極端部および右極端部に、前記ガイドレールを上下の二つ折りに折畳み可能にする第３ジョイント部を有し、
不使用時に、前記設置管部および前記ガイドレールをそれぞれ左右に折り重ねた後、前記ガイドレールを前記第３ジョイント部により上下に折り重ねて、全体的に四つ折り状態にしたことを特徴とする請求項３に記載の簡易型ゴルフ練習装置。
【請求項５】
前記ガイドレールを磁性材製の金属により形成し、前記ゴルフクラブをスイングする際、前記クラブシャフトの先端部に取着させた磁石製の帯体を磁気力により前記ガイドレールに吸着させた状態でスライドさせることを特徴とする請求項１、請求項２または請求項３のいずれか一つに記載の簡易型ゴルフ練習装置。
【請求項６】
前記ガイドレールは、周方向に沿って凹陥状の周溝を形成し、前記周溝内に伸縮変位可能な弾性体から成る索条体を配置し、前記索条体の一端は、前記ガイドレールの左端側において、前記周溝の内底部に固定され、他端は前記ガイドレールの下端近傍において、前記周溝内に位置して前記クラブシャフトの先端部に着脱可能に装着されるフック部に連結されていることを特徴とする請求項１、請求項２または請求項３のいずれか一つに記載の簡易型ゴルフ練習装置。
【発明の詳細な説明】
【技術分野】
【０００１】
本発明は、プレヤーが適切なスイングを習得するために設けた簡易型ゴルフ練習装置に係り、とりわけ簡素な構成でコスト的に有利となるように改良した簡易型ゴルフ練習装置に関する。
【背景技術】
【０００２】
ゴルファーがボールの飛距離を伸ばすには、ゴルフクラブのスイング動作を適切に行うことが大事である。このため、ゴルファーの初期姿勢やスイング時の身体の動きやゴルフクラブのスイング軌跡が重要となる。
これらの点を考慮し、開催競技における優勝を目指してゴルフに上達するためには、グリーンに出掛ける前にゴルフ練習装置を使って、スイングの練習を繰り返すことが考えられる。ゴルフ練習装置としては、例えば、特許文献１−４に記載されたものが公衆の利用に供されている。
【０００３】
特許文献１のゴルフ練習機では、ガイドレールを支持機構に昇降可能および傾動可能に取り付けている。
これにより、ガイドレールの高さや傾斜角度を任意に調整して所望に変更し、練習者の体格、練習内容に的確に対応した状態に設定することができる。
【０００４】
特許文献２のゴルフ練習装置では、ゴルフクラブのスイング経路に沿ってガイドトラックが左右のサイドボード間に回転調整自在に設けられている。すなわち、練習者の望みに応じてガイドトラックの傾斜角度、高さおよびラックの横断方向に関するクラブシャフトの位置が調整できるようになっている。この調整により、通常の背高範囲に属する練習者の理想スイング経路をシュミレートすることができる。
【０００５】
特許文献３のゴルフ練習装置では、支持部材を用いて、レールをゴルフクラブのスイング軌跡を表すループ形状に保持している。支持部材が直立支柱を備え、レールの高さ調節を可能にするため、直立支柱が上部および下部の伸縮を可能とし、レールを横方向に調節するため、直立支柱の上端部に調節手段を設けている。
【０００６】
特許文献４のゴルフスイングの練習器では、ガイドフレームを円弧状または円環状の第１のガイドフレームと第２のガイドフレームとから構成している。
第１のガイドフレームによりガイドフレームの傾斜角度を調節自在とし、第２のガイドフレームが機能した際、第１のガイドフレームが形成する平面に対して、ガイドフレームを平行に変位させることにより離接方向に位置設定可能にしている。
【先行技術文献】
【特許文献】
【０００７】
【特許文献１】特開２００１−１６１８７９号公報
【特許文献２】特表平６−５００２４４号公報
【特許文献３】特開平１−１６０５７８号公報
【特許文献４】特開２００５−２１８７８４号公報
【発明の概要】
【発明が解決しようとする課題】
【０００８】
特許文献１−４のいずれでも、ガイドレール、ガイドトラック、レール、ガイドフレームが設置面に対して上下傾動可能で、左右に傾斜調整できるようになっている。調整機能の多様化により、所望の条件に設定されたスイング面で、練習者の熟練度に応じたスイングが適切に行われる。
しかしながら、いずれのゴルフ練習機や練習装置でも、調整機能の多様化に応じて構造が複雑になり、持ち運びに不便で、しかも製造コストの低減化を阻み、ゴルフ愛好者への普及を妨げる虞がある。
【０００９】
本発明は上記事情に鑑みてなされたもので、その目的は、調整機能の多様化を図りながらも、簡素な構造で堅牢かつ持ち運びに便利で、製造コストの低減化を促し、ゴルフ愛好者への普及を広げて拡販可能な簡易型ゴルフ練習装置を提供することにある。
【課題を解決するための手段】
【００１０】
（請求項１について）
単一の支持筒部は設置面に設置され、ロッドは、支持筒部に軸周り方向に往復回動可能かつ上下方向に沿って伸縮移動可能に挿入されている。
ガイドレールは、ロッドに対応する箇所で、ロッドの先端にピボット部を介して旋回可能に連結されたループ状の軌条である。ゴルフクラブをスイングする際、ガイドレールは、クラブシャフトの先端部を軌条に沿ってスライドさせるスイング面を成す。
ピボット部は、ロッドの先端あるいはガイドレールのロッドに対応する位置のうち一方に形成した球面部と、他方に形成して球面部を摩擦摺動可能に嵌め込む球面状の凹陥部とから成る。
ロッドは軸周り方向に往復回動および上下方向に移動可能であり、ガイドレール自体をピボット部を介して自由方向に旋回可能である。これにより、設置面に対するガイドレールの高さ寸法を調節したり、ロッドがピボット部を介してガイドレールのスイング面を無方向に傾動させて、スイング面の傾き角度が調整可能となる。
ガイドレールは、径方向に沿う最上端部および最下端部のうちいずれか一方に磁性体を設け、他方に磁性体に対応する磁石を取り付けている。
ガイドレールの径方向に沿う最左端部および最右端部に、ガイドレールを上下の二つ折りに折畳み可能にするヒンジ部を有する。簡易型ゴルフ練習装置の不使用時には、ヒンジ部によりガイドレールを上下に折り重ね、磁石を磁性体に吸着させて収納するようにしている。
【００１１】
請求項１では、スイングの練習時、ロッドを軸周り方向に回動させたり、上下方向に移動させたり、ガイドレール自体をピボット部を介して自由方向に旋回させることができる。これにより、設置面に対するガイドレールの高さ寸法を所望に調節したり、ガイドレールのスイング面を無方向に傾動させて、スイング面の傾き角度を所望に調整することができるようになる。
【００１２】
この結果、スイング面の無方向の傾動、ガイドレールの高さ寸法および傾き角度を調整可能にするといった調整機能の多様化が図られ、練習者の体格、練習内容に的確に対応した最適な状態に設定することができる。
調整機能の多様化が、単一の支持筒部、ロッド、ピボット部およびガイドレールといった少数の構成部品で行うことができる。このため、簡素な構造で堅牢かつ軽量で持ち運びに便利で、製造コストの低減化を促し、ゴルフ愛好者への普及を広げて販売の促進に資する。
ピボット部は、球面部と球面部を摩擦摺動可能に嵌め込む球面状の凹陥部とから成る。このため、ピボット部が簡素な構造になり、省スペース化およびコストの低廉化に寄与する。
また、ヒンジ部によりガイドレールを上下に折り重ね、磁石を磁性体に吸着させることが可能なため、ガイドレールを二つ折りに折畳んで収納きて省スペース化に寄与する。
【００１３】
（請求項２について）
請求項１と異なるところは、ピボット部が、ロッドの先端に貫通状態に形成した直線溝とガイドレールに設けたコ字状の側路長部とから成ることである。側路長部は、ガイドレールのロッドに対応する位置の外周側に一体に形成され、直線溝内に嵌め込まれて上下方向に回動調整可能に摩擦係合されている。
【００１４】
請求項２では、側路長部がガイドレールの外周側に一体に形成されているので、ガイドレールをロッドの先端に組付ける必要がなくなり、クラブシャフトをガイドレールの全周に沿って円滑にスライドさせることができる。
【００１５】
（請求項３について）
スタンド筒部は、設置面に所定の距離だけ離して設置される一対の支持部を成し、水平筒部と垂直筒部とからエルボ状に形成されている。第１ロッドは、スタンド筒部内で軸周り方向に往復回動可能かつ上下方向に沿って伸縮移動可能に挿入されている。
支持筒部は、スタンド筒部の背後に設けられ、支持筒部には、第２ロッドが軸周り方向に往復回動可能かつ上下方向に沿って伸縮移動可能に挿入されている。
ガイドレールは、第１ロッドおよび第２ロッドに対応する箇所で、第１ロッドの先端および第２ロッドの先端にピボット部を介して旋回可能に連結されたループ状の軌条である。ゴルフクラブをスイングする際、ガイドレールは、クラブシャフトの先端部を軌条に沿ってスライドさせるスイング面を成す。
ピボット部は、第１ロッドの先端および第２ロッドの先端にそれぞれ形成した球面部を有する。凹陥部は、ガイドレールの第１ロッドおよび第２ロッドに対応する位置に形成されて、球面部を摩擦摺動可能に嵌め込む。
第１ロッドおよび第２ロッドを軸周り方向に回動させたり、上下方向に移動させる。これにより、第１ロッドおよび第２ロッドがピボット部を介してガイドレールのスイング面を無方向に傾動させて、設置面に対するガイドレールの高さ寸法および傾き角度を調整可能にする。
一対のスタンド筒部は、垂直筒を水平筒に向けて設置面に対して起き伏し可能に折畳み回動させる枢支部を有する。さらに、一対のスタンド筒部は、第１ジョイント部により中央で左右の二つ折りに折畳み可能にされた設置管部で連結されている。支持筒部の下端部は、設置面に対して起き伏し回動可能となるように設置管部に連結されている。ガイドレールは、径方向に沿う最上端部および最下端部に、ガイドレールを左右の二つ折りに折畳み可能にする第２ジョイント部を有する。
簡易型ゴルフ練習装置の不使用時には、一対のスタンド筒部における垂直筒部を水平筒部に折り重ねて設置面に伏せた状態で、設置管部を第１ジョイント部により左右に折り重ねるとともに、ガイドレールを第２ジョイント部により左右に折り重ねる。
【００１６】
請求項３では、スイングの練習時、第１ロッドおよび第２ロッドを軸周り方向に回動させたり、上下方向に移動させる。これにより、第１ロッドおよび第２ロッドがピボット部を介してガイドレールのスイング面を無方向に傾動させて、設置面に対するガイドレールの高さ寸法および傾き角度を調整可能にする。
この結果、スイング面の無方向の傾動、ガイドレールの高さ寸法および傾き角度を調整可能にするといった調整機能の多様化が図られ、練習者の体格、練習内容に的確に対応した最適の状態に設定することができる。
【００１７】
とりわけ、ガイドレールは、一対のスタンド筒部および支持筒部の第２ロッドにより、少なくとも三点で支持されている。
一般に平坦な面は三点により構成できるとする定理からすると、三点支持のガイドレールは、スイング面をあらゆる方向に傾動変位させることができて、熟練度の異なる使用者Ｕからの要求にきめ細かく応ずることができる。この点が、ガイドレールを径方向の二点で回動支持する傾動構造と大きく異なるところである。
【００１８】
調整機能の多様化が、スタンド筒部、支持筒部、第１ロッド、第２ロッド、ピボット部およびガイドレールといった少数の構成部品で可能となる。このため、簡素な構造で堅牢かつ軽量で持ち運びに便利で、製造コストの低減化を促し、ゴルフ愛好者への普及を広げて販売の促進に資する。
また、ピボット部を球面部と球面部が摩擦摺動可能に嵌め込まれた凹陥部とから構成しているので、ピボット部が簡素な構造となり、省スペース化が図られてコスト的にも有利である。
また、簡易型ゴルフ練習装置の不使用時に設置管部およびガイドレールを左右に二つ折り状態に折り畳むことができる。このため、簡易型ゴルフ練習装置が嵩張らず持ち運びに便利となり、省スペース化により設置や収納保管も容易となる。
【００１９】
（請求項４について）
ガイドレールは、径方向に沿う左極端部および右極端部に、ガイドレールを上下の二つ折りに折畳み可能にする第３ジョイント部を有する。
簡易型ゴルフ練習装置の不使用時に、設置管部およびガイドレールをそれぞれ左右二つに折り畳んだ後、ガイドレールを第３ジョイント部により上下二つに折り重ね、全体的に四つ折り状態にする。
【００２０】
請求項４では、簡易型ゴルフ練習装置の不使用時に設置管部およびガイドレールを左右・上下に四つ折り状態に折り畳むことができる。このため、簡易型ゴルフ練習装置が嵩張らずコンパクトになり、持ち運びに一層便利となり、更なる省スペース化により設置や収納保管も著しく容易となる。
【００２１】
（請求項５について）
ガイドレールを磁性材製の金属により形成し、クラブシャフトの先端部に磁石製の帯体を取着させている。ゴルフクラブをスイングする際、クラブシャフトの帯体をガイドレールに磁気力により吸着させた状態でスライドさせる。
【００２２】
請求項５では、クラブシャフトをスイングする際、帯体の磁気力によりクラブシャフトのガイドレールに対する保持力が働く。
この保持力は、スイングの状態によって微妙に変動するので、使用者が自分のスイングの癖に気付き易くなり癖を矯正することに役立つ。
【００２３】
（請求項６について）
ガイドレールは、周方向に沿って凹陥状の周溝を形成している。周溝内には、伸縮変位可能な弾性体から成る索条体を配置している。索条体の一端は、ガイドレールの左端側において、周溝の内底部に固定されている。索条体の他端は、ガイドレールの下端近傍において、周溝内にに位置してクラブシャフトの先端部に着脱可能に装着されるフック部に連結されている。
【００２４】
請求項６では、ゴルフクラブを振る度に、索条体が伸長変位をするため、ゴルフクラブには、伸長変位に基づく弾性抵抗力が負荷として漸増しながら加わる。このため、索条体により使用者のスイング力が鍛練されてスイング動作の上達に寄与する。
【図面の簡単な説明】
【００２５】
【図１】簡易型ゴルフ練習装置を使用者とともに示す斜視図である（実施例１）。
【図２】（ａ）は設置管部と支持筒部との連結構造を示す分解斜視図、（ｂ）はピボット部を示す斜視図、（ｃ）はピボット部の形成方法を示す分解斜視図である（実施例１）。
【図３】（ａ）はピボット部としてのユニバーサル・ジョイントの斜視図、（ｂ）はユニバーサル・ジョイントの組立て手順を示す斜視図である（実施例２）。
【図４】簡易型ゴルフ練習装置を示す斜視図である（実施例３）。
【図５】（ａ）は枢支部を示す斜視図、（ｂ）は第１ジョイント部を示す斜視図、（ｃ）は第２ジョイント部を示す斜視図である（実施例３）。
【図６】ガイドレールおよび設置管部を左右の二つ折りに折り畳んだ状態を示す斜視図である（実施例３）。
【図７】（ａ）は簡易型ゴルフ練習装置を示す斜視図、（ｂ）は第３ジョイント部を示す斜視図である（実施例４）。
【図８】（ａ）はガイドレールおよび設置管部を左右の二つ折りに折り畳んだ状態を示す正面図、（ｂ）はガイドレールを左右・上下の四つ折りに折り畳んだ状態を示す正面図である（実施例４）。
【図９】簡易型ゴルフ練習装置を示す斜視図である（実施例５）。
【図１０】ガイドレールとロッドとの間に設けられたピボット部の形成方法を示す分解斜視図である（実施例５）。
【図１１】（ａ）は簡易型ゴルフ練習装置を示す斜視図、（ｂ）はガイドレールに対する蝶番の取付け方法を示す斜視図である（実施例６）。
【図１２】ガイドレールを上下の二つ折りに折り畳んだ状態で、簡易型ゴルフ練習装置を示す斜視図である（実施例６）。
【図１３】（ａ）はピボット部を示す分解斜視図、（ｂ）はガイドレールにピボット部を組付けた状態を示す斜視図である（実施例７）。
【図１４】簡易型ゴルフ練習装置の要部を示す斜視図である（実施例８）。
【図１５】ピボット部の形成方法を示す分解斜視図である（実施例８）。
【図１６】簡易型ゴルフ練習装置の要部を示す斜視図である（実施例９）。
【図１７】（ａ）はガイドレール、周溝、索条体およびゴルフクラブを示す斜視図、（ｂ）は（ａ）のＶ−Ｖ線に沿う横断面図、（ｃ）はゴルフクラブを索条体およびフック部とともに示す斜視図である（実施例１０）。
【発明を実施するための形態】
【００２６】
本発明では、スイングの練習時、ロッドを軸周り方向に回動させるとともに、上下方向に移動させることにより、ガイドレールの高さ寸法、スイング面の無方向の傾動、および傾き角度を調整可能にするといった調整機能の多様化が図られ、練習者の体格、練習内容に的確に対応した最適の状態に設定する構成を有する。
【実施例】
【００２７】
〔実施例１の構成〕
図１および図２に基づいて本発明の実施例１について説明する。
本発明に係る簡易型ゴルフ練習装置１は、図１に示すように、設置面ＧＬに所定の距離Ｓだけ離して設置されて一対の支持部を成するスタンド筒部２を左右に有している。スタンド筒部２は水平筒部２ａと垂直筒部２ｂとからエルボ状に形成されている。左右のスタンド筒部２は、設置面ＧＬに配設され、左右に腕部４ａを形成し、全体としてコ字状を成す設置管部４により連結されている。
【００２８】
左右の腕部４ａは、延出部４ｎを介してスタンド筒部２の水平筒部２ａ内にスライド調節可能に挿入され、水平筒部２ａに対する腕部４ａの挿入長さを所望に設定できるようになっている。
腕部４ａに対する水平筒部２ａの移動は、径大な頭部５ａを有する螺子部５を水平筒部２ａの螺子孔（図示せず）にねじ込むことにより強固に固定される。
【００２９】
スタンド筒部２の垂直筒部２ｂ内には、第１ロッド６が軸周り方向に往復回動可能で、かつ上下方向に沿って伸縮移動可能に挿入されている。垂直筒部２ｂに対する第１ロッド６の移動は、径大な頭部７ａを有する螺子部７を螺子孔（図示せず）にねじ込むことにより阻止されてロックされる。
支持筒部８は、スタンド筒部２の背後で左右に一つずつ設けられており、支持筒部８には、第２ロッド９が軸周り方向に往復回動可能で、かつ上下方向（軸方向）に沿って伸縮移動可能に挿入されている。支持筒部８に対する第２ロッド９の移動は、径大な頭部１０ａを有する螺子部１０を支持筒部８の螺子孔（図示せず）にねじ込むことにより阻止されてロックされる。
【００３０】
支持筒部８の下端部は、図２（ａ）に示すように、有端のフック環８ａを形成しており、設置管部４はフック環８ａに対応する括れ部４ｂを形成している。フック環８ａを括れ部４ｂに嵌め込みにより往復回動可能に取り付けている。これにより、支持筒部８は、設置面ＧＬに対して起き伏し回動可能となるように設置管部４に連結される。
【００３１】
二個の第１ロッド６の先端６Ａおよび二個の第２ロッド９の先端９Ａは、例えば直径寸法を１８０ｃｍとするループ状の軌条と同一円上に位置するように設定されている。
ガイドレール１１は、ポリアミド（ＰＡ）やポリエステルの合成樹脂材やステンレス鋼材などの金属材料から軌条に沿って円環状に形成されている。ガイドレール１１は、使用者Ｕがゴルフクラブ１２をスイングする際、クラブシャフト１２ａの先端部を軌条に沿ってスライドさせるスイング面１１Ａを構成する。
スイング練習時、クラブシャフト１２ａの先端部に嵌めたプラスチック製のパッドＰｅを介してガイドレール１１に摺動させるようにしてもよいが、クラブシャフト１２ａの先端部を直にガイドレール１１に摺動させてもよい。
【００３２】
ガイドレール１１は中空あるいは中実でもよく、ガイドレール１１の断面形状は、円形、楕円形、矩形、多角形など多種多様な形状から所望のものに選択できるものである。
斯かるガイドレール１１は、第１ロッド６および第２ロッド９に対応する箇所で、第１ロッ６ドの先端６Ａおよび第２ロッド９の先端９Ａにピボット部１３を介して旋回可能に連結されている。
この場合、ガイドレール１１は径大な円状に形成したが、螺旋状や楕円、双曲線、放物線を含む円錐曲線から環状に構成してもよい。
【００３３】
ピボット部１３は、図２（ｂ）に示すように、第１ロッド６の先端６Ａおよび第２ロッド９の先端９Ａにそれぞれ形成した球面部１４を有する。球面状の凹陥部１５は、ガイドレール１１の第１ロッド６および第２ロッド９に対応する位置に形成されており、凹陥部１５には、球面部１４が全位方向に摩擦摺動可能に嵌め込まれている。このため、凹陥部１５内の球面部１４は、両者の摩擦により凹陥部１５に対する任意の旋回変位位置で保持され得るようになっている。  
【００３４】
ピボット部１３を形成するには、図２（ｃ）に示すように、ガイドレール１１に形成した切欠面１１ａに半球凹部１１ｂを形成しておき、別体の補填辺部１１ｃに半球凹部１１ｄを形成しておく。半球凹部１１ｂ、１１ｄは、互いに協働して凹陥部１５を構成するものである。
球面部１４を半球凹部１１ｂ、１１ｄに嵌め込みながら、接着などの固定手段を用いて補填辺部１１ｃを切欠面１１ａに密着固定する。補填辺部１１ｃは、切欠面１１ａに固定される際、ガイドレール１１の外表面と面一になるように設定されている。
なお、球面部１４の先端６Ａ（先端９Ａ）に近接する曲面部の一部を凹陥部１５から露出させ、ガイドレール１１に対して先端６Ａ（先端９Ａ）が傾斜可能な立体角範囲β（例えば０度−１８０度）を大きく設定できるようにしている。
【００３５】
上記構成では、螺子部７、１０を一時的に緩めることにより、第１ロッド６および第２ロッド９を軸周り方向に回動させるとともに、上下方向（軸方向）に移動させる。
これにより、第１ロッド６および第２ロッド９がピボット部１３を介してガイドレール１１のスイング面１１Ａを無方向に傾動させ、設置面ＧＬに対するガイドレール１１の傾き角度θを調整可能にするとともに、設置面ＧＬに対するガイドレール１１の高さ寸法Ｈを調整する。
【００３６】
〔実施例１の効果〕
実施例１では、スイングの練習時、螺子部７、１０を一時的に緩めて第１ロッド６および第２ロッド９を軸周り方向に回動させるとともに、上下方向に移動させる。
これにより、第１ロッド６および第２ロッド９がピボット部１３を介してガイドレール１１のスイング面を無方向に傾動させて、設置面ＧＬに対する傾き角度θ（例えば、４５度−５５度）を調整可能にするとともに、設置面ＧＬに対するガイドレール１１の高さ寸法Ｈ（例えば、１５０ｃｍ−１９０ｃｍ）を調整可能にする。
【００３７】
この結果、スイング面の無方向の傾動、ガイドレール１１の高さ寸法Ｈおよび傾き角度θを調整可能にするといった調整機能の多様化が図られ、練習者である使用者Ｕの体格、練習内容に的確に対応した最適の状態に設定することができる。
凹陥部１５と球面部１４とは摩擦摺動可能に嵌め込まれた関係にあるため、ガイドレール１１は所望に調整旋回変位させた位置において、調整後の高さ寸法Ｈおよび傾き角度θに保持される。
実施例１では、球面部１４を第１ロッド６および第２ロッド９に形成し、凹陥部１５をガイドレール１１に形成したが、これとは逆に、球面部１４をガイドレール１１に形成し、凹陥部１５を第１ロッド６および第２ロッド９にそれぞれ形成してもよい。
【００３８】
ここで、実施例１のガイドレール１１に言及すると、ガイドレール１１は、二個の第１ロッド６および二個の第２ロッド９による四点で支持されている。
一般に平坦な面は三点により構成できるとする定理からすると、四点支持のガイドレール１１は、スイング面１１Ａをあらゆる方向に傾動変位させることができて、熟練度の異なる使用者Ｕからの要求にきめ細かく応ずることができる。この点が、ガイドレールを径方向の二点で回動支持する傾動構造と大きく異なるところである。
【００３９】
この観点を考慮すると、二個の第１ロッド６と二個の第２ロッド９とを互いに結ぶことにより生じる４通りの結び直線は、ガイドレール１１の直径方向以外の弦長方向に沿うように構成することができる。
調整機能の多様化が、スタンド筒部２、支持筒部８、第１ロッド６、第２ロッド９、ピボット部１３およびガイドレール１１といった少数の構成部品で可能となる。
【００４０】
このため、簡素な構造で堅牢かつ軽量で持ち運びに便利で、製造コストの低減化を促し、ゴルフ愛好者への普及を広げて販売の促進に資する。
なお、必要な場合には、ガイドレール１１に螺子穴を介して螺子（図示せず）をねじ込むことにより、螺子の先端を凹陥部１５から球面部１４の外表面に圧接させ、ガイドレール１１に対する球面部１４の旋回変位を禁じ、凹陥部１５対する球面部１４の固定を確実にすることができる。
【００４１】
〔実施例２の構成〕
図３は本発明の実施例２を示す。実施例２が実施例１と異なるところは、ピボット部１３を球面部１４と凹陥部１５とに代わって、ユニバーサル・ジョイント１６から構成したことである。
ユニバーサル・ジョイント１６は、図３（ａ）、（ｂ）に示すように、第１ロッド６の先端６Ａおよび第２ロッド９の先端９Ａに形成したＵ字状の第１連結部１６ａおよびガイドレール１１側から延びた頸部１１ｐに形成したＵ字状の第２連結部１６ｂを備えている。
【００４２】
第１連結部１６ａは対向位置に第１透孔１６ｃを有し、第２連結部１６ｂも対向位置に第２透孔１６ｄを有している。十字ピン１７の一方の端部１７ａを第１透孔１６ｃに回動可能に嵌着し、他方の端部１７ｂを第２透孔１６ｄに回動可能に嵌着することにより、ユニバーサル・ジョイント１６を構成する。
【００４３】
十字ピン１７の端部１７ａに設けられた第１ボルト螺子部１８は、第１透孔１６ｃから突き出してナット１８ａを螺着している。十字ピン１７の端部１７ｂに設けられた第２ボルト螺子部１９は、第２透孔１６ｄから突き出てナット１９ａを螺着している。
ナット１８ａ、１９ａを第１ボルト螺子部の１８および第２ボルト螺子部１９に対して強く締め付けることにより、第１連結部１６ａと第２連結部１６ｂとの相互回動変位を禁じ、ユニバーサル・ジョイント１６の無方向変位を阻止してロックすることができる。
【００４４】
〔実施例３の構成〕
図４ないし図６は本発明の実施例３を示す。実施例３が実施例１と異なるところは、簡易型ゴルフ練習装置１を左右の二つ折りに折畳み可能にしたことである。
実施例３における一対のスタンド筒部２は、図４に示すように、垂直筒部２ｂを水平筒部２ａに向けて設置面に対して起き伏し可能に折畳み回動させる枢支部２０を有する。
【００４５】
枢支部２０は、図５（ａ）に示すように、垂直筒部２ｂに凹端部２ｃを形成し、水平筒部２ａに突端部２ｄを形成している。
突端部２ｄを凹端部２ｃに配置し、ピン２ｅで連結することにより、垂直筒部２ｂを垂直位置から水平筒部２に対して折り重なって伏せる位置まで前後方向に往復回動可能に枢支している。垂直筒部２ｂに螺子部２Ｂを螺子孔（図示せず）からねじ込むことにより、螺子部２Ｂの先端部が突端部２ｄに圧接するため、垂直筒部２ｂを水平筒部２に対して任意の傾斜角度（α）に固定することができる。
【００４６】
設置管部４は、中央で左端部４ｅと右端部４ｆとに二分割されている。左端部４ｅと右端部４ｆとは、第１ジョイント部２１により左右の二つ折りに折畳み可能にされている。第１ジョイント部２１は、図５（ｂ）に示すように、左端部４ｅおよび右端部４ｆに凹端部４ｇを形成し、凹端部４ｇ内に別体の突端部４ｈを挟入している。
左端部４ｅおよび右端部４ｆから突端部４ｈにピン２ｊを貫通させて連結することにより、左端部４ｆを右端部４ｅに同軸位置から折り重ねる折畳み位置に左右回動可能にしている。
【００４７】
ガイドレール１１は、径方向に沿う最上端部１１Ｅおよび最下端部１１Ｆに、ガイドレール１１を左右の二つ折りに折畳み可能にする第２ジョイント部２２を有する。
すなわち、ガイドレール１１は、最上端部１１Ｅおよび最下端部１１Ｆで左右に分割されている。
最上端部１１Ｅおよび最下端部１１Ｆにおける第２ジョイント部２２は、図５（ｃ）に示すように、分割左端１１ｅおよび分割右端１１ｇに凹端部１１ｆを形成し、凹端部１１ｆには、別体の突端部１１ｈを挟入している。
分割左端１１ｅおよび分割右端１１ｇから突端部１１ｈにピン１１ｊを貫通させて連結することにより、分割右端１１ｇを分割左端１１ｅに一致させる面一位置から折り重ねる折畳み位置に左右回動可能にしている。
【００４８】
実施例３では、簡易型ゴルフ練習装置１の不使用時に、図６に示すように、設置管部４およびガイドレール１１を第１ジョイント部２１および第２ジョイント部２２を介して左右に二つ折り状態に折り畳むことができる。このため、簡易型ゴルフ練習装置１が嵩張らずコンパクトで持ち運びに便利となり、省スペース化により設置や収納保管も容易となる。
【００４９】
〔実施例４の構成〕
図７および図８は本発明の実施例４を示す。実施例４が実施例３と異なるところは、簡易型ゴルフ練習装置１を左右の二つ折りに加えて、上下でも二つ折りにして四つ折りに折畳み可能にしたことである。
実施例４におけるガイドレール１１は、図７（ａ）に示すように、径方向に沿う左極端部１１Ｇおよび右極端部１１Ｋに、ガイドレール１１を上下の二つ折りに折畳み可能にする第３ジョイント部２３を有する。
【００５０】
ガイドレール１１は、左極端部１１Ｇおよび右極端部１１Ｋで上下に二分割され、全体として四分割されている。
左極端部１１Ｇおよび右極端部１１Ｋにおける第３ジョイント部２３は、図７（ｂ）に示すように、分割上端１１ｎおよび分割下端１１ｓに凹端部１１ｍを形成し、凹端部１１ｍ内に別体の突端部１１ｑを挟入している。
分割上端１１ｎおよび分割下端１１ｓから突端部１１ｑにピン１１ｋを貫通させて連結している。これにより、分割上端１１ｎを分割下端１１ｓに一致させる面一位置から折り重ねる折畳み位置に上下回動可能にしている。
【００５１】
この場合、ガイドレール１１は、ガイドレール１１の厚みＴを考慮して、第２ジョイント部２２で左右の二部分に分割されている。ガイドレール１１の図示右半分１１ｖは、左半分１１ｕよりも厚みＴの考慮分だけ径小になっている。ガイドレール１１の図示右半分１１ｖと左半分１１ｕとは、両者の境界部分１１ｗ、１１ｔでピン２２ｎにより左右回転可能に連結されて、右半分１１ｖを左半分１１ｕに折り畳んだ際、右半分１１ｖが左半分１１ｕの内側に内接するように設定されている。
【００５２】
簡易型ゴルフ練習装置１の不使用時に、図８（ａ）に示すように、設置管部４およびガイドレール１１をそれぞれ左右二つに折り畳んだ後、図８（ｂ）に示すように、ガイドレール１１を第３ジョイント部２３により上下二つに折り重ねて、全体的に四つ折り状態にする。
【００５３】
実施例４では、簡易型ゴルフ練習装置１の不使用時に設置管部４およびガイドレール１１を左右・上下に四つ折り状態に折り畳むことができる。このため、簡易型ゴルフ練習装置１が嵩張らずコンパクトになり、持ち運びに一層便利となり、更なる省スペース化により設置や収納保管も著しく容易となる。
【００５４】
〔実施例５の構成〕
図９および図１０は本発明の実施例５を示す。実施例５が実施例１と異なるところは、ガイドレール１１を単一の支持筒部３０により枢支したことである。
単一の支持筒部３０は、図９に示すように、延出基部３０ａを介して径大な基盤３１に連結され、基盤３１を介して設置面ＧＬに据えられている。
単一のロッド３２は、支持筒部３０内に軸周り方向に往復回動可能で、かつ上下方向（軸方向）に沿って伸縮移動可能に挿入されている。
【００５５】
ガイドレール１１は、ロッド３２に対応する箇所で、ロッド３２の先端３２ａにピボット部３３を介して旋回可能に連結されたループ状の軌条である。
ピボット部３３では、図１０に示すように、ロッド３２の先端３２ａに球面状に窪む凹陥部３４を形成している。ガイドレール１１のロッド３２に対応する位置では、内方に延出する基端頸部３５を一体形成している。
【００５６】
基端頸部３５は、例えばガイドレール１１のスイング面１１Ａに対して径方向に沿う直角面内に位置するように配されている。基端頸部３５は、スイング面１１Ａの下方でスイング面１１Ａと所定の角度をなし、クラブシャフト１２ａがスイング面１１Ａをスライドする際、基端頸部３５がスイング動作の邪魔にならないようにしている。
基端頸部３５の最先端には、凹陥部３４に対応するボール状の球面部３６を一体に設けている。凹陥部３４は、内部に球面部３６を全位方向に摩擦摺動可能に嵌め込むことにより、球面部３６と一緒にボール型の摩擦旋回構造を成している。
【００５７】
ピボット部３３を形成するにあたっては、ロッド３２の先端３２ａに切欠端面３３ｂを切欠形成する（図１０参照）。
切欠端面３３ｂに半球凹部３３ｃを設ける一方、別体の補填辺部３３ｄに半球凹部３３ｅを形成しておく。球面部３６を半球凹部３３ｃ、３３ｅに嵌め込みながら、接着などの固定手段を用いて補填辺部３３ｄを切欠端面３３ｂに密着固定する。
【００５８】
左右一対の螺子部３７は、頭部３７ａを操作して、ロッド３２の先端３２ａに螺子孔（図示せず）を介してねじ込むことにより、螺子部３７の先端部が凹陥部３４内の球面部３６の外表面に圧接する。これにより、球面部３６は、基端頸部３５およびガイドレール１１と一緒に任意の旋回角度に位置保持される。
【００５９】
ロッド３２を軸周り方向に回動させたり、上下方向に移動させたりすることにより、ガイドレール１１自体をピボット部３３を介して自由方向に動かすことができる。これにより、設置面ＧＬに対するガイドレール１１の高さ寸法Ｈを調節したり、ロッド３２がピボット部３３を介してガイドレール１１のスイング面１１Ａを無方向に傾動させて、スイング面１１Ａの傾き角度θを調整することができる。
【００６０】
〔実施例５の効果〕
実施例５では、スイングの練習時、ロッド３２を軸周り方向に回動させたり、上下方向に移動させたり、ガイドレール１１自体をピボット部３３を介して自由方向に旋回することができる。
これにより、設置面に対するガイドレール１１の高さ寸法Ｈを所望に調節したり、ガイドレール１１のスイング面１１Ａを無方向に傾動させて、その傾き角度θを所望に調整することができる。
【００６１】
この結果、スイング面１１Ａの無方向の傾動、ガイドレール１１の高さ寸法Ｈおよび傾き角度θを調整可能にするといった調整機能の多様化が図られ、使用者Ｕである練習者の体格、練習内容に的確に対応した最適な状態に設定することができる。
調整機能の多様化が、単一の支持筒部３０、ロッド３２、ピボット部３３およびガイドレール１１といった少数の構成部品で行うことができる。このため、簡素な構造で堅牢かつ軽量で持ち運びに便利で、製造コストの低減化を促し、ゴルフ愛好者への普及を広げて販売の促進に資する。
また、実施例５では、ピボット部３３を凹陥部３４と球面部３６とから構成したので、ピボット部３３が簡素な構造になり、省スペース化およびコストの低廉化に寄与する。
【００６２】
なお、上述したように、ガイドレール１１に球面部３６を形成し、ロッド３２に凹陥部３４を設けたが、これとは逆に、ガイドレール１１に凹陥部３４を設け、ロッド３２に球面部３６を形成してもよい。
また、球面部３６を凹陥部３４に旋回可能に嵌め込む際、球面部３６の一部を凹陥部３４から露出させるように構成し、球面部３６が旋回可能な角度範囲が広くなるように設定してもよい。
さらに、支持筒部３０と一緒に段付き柱部を成すように、基盤３１の厚みを大きく設定し、設置面ＧＬに対する基盤３１の安定した設置状態を確保してもよい。
【００６３】
〔実施例６の構成〕
図１１および図１２は本発明の実施例６を示す。実施例６が実施例５と異なるところは、ガイドレール１１にヒンジ部を設け、ガイドレール１１を上下の二つ折りに折畳み可能にしたことである。
実施例６におけるガイドレール１１は、図１１（ａ）に示すように、例えば断面矩形状を呈する合成樹脂により形成されており、径方向に沿う最上端部内に磁性体４１を埋設し、最下端部内に磁性体４１に対応する磁石４２を埋設している。
【００６４】
ガイドレール１１の径方向に沿う最左端部１１Ｑおよび最右端部１１Ｒには、ヒンジ部としての蝶番４３が設けられている。すなわち、ガイドレール１１は、図１１（ｂ）に示すように、最左端部１１Ｑおよび最右端部１１Ｒで上下に二分割されており、分割上端部４３ａと分割下端部４３ｂとの境界部４３ｃに蝶番４３が固着されている。蝶番４３は、中央に設けたピン４３ｄとピン４３ｄの両側に枢支した回動辺部４３ｅ、４３ｆから成る。
【００６５】
分割上端部４３ｅと分割下端部４３ｆとの上面部には、蝶番４３の厚みに応じた深さの浅溝４３ｇが形成されており、ピン４３ｄが境界部４３ｃに位置し、回動辺部４３ｅ、４３ｆが浅溝４３ｇ内に配置されている。これにより、蝶番４３が分割上端部４３ａと分割下端部４３ｂとを連結し、ガイドレール１１の外表面と段差のない面一状態を形成するようにしている。
分割上端部４３ａと分割下端部４３ｂとは、境界部４３ｃの裏面側で当接するので、蝶番４３によるガイドレール１１の上方だけの回動変位のみが許容され、下方への回動変位が阻止される。
【００６６】
実施例６では、ガイドレール１１の径方向に沿う最左端部１１Ｑおよび最右端部１１Ｒに蝶番４３を設けたので、ガイドレール１１を上下の二つ折りに折畳み可能にする。
これにより、簡易型ゴルフ練習装置１の不使用時には、図１２に示すように、蝶番４３によりガイドレール１１を上方に回動して上下に折り重ね、磁石４２を磁性体４１に吸着させて収納することができる。
蝶番４３によりガイドレール１１を上下に折り重ね、磁石４２を磁性体４１に吸着させることが可能なため、ガイドレール１１を二つ折りに折畳んで収納きて省スペース化に寄与する。
【００６７】
なお、ガイドレール１１の最上端部内に磁性体４１を埋設し、最下端部内に磁石４２を埋設したが、これとは逆に、最上端部内に磁石４２を埋設し、最下端部内に磁性体４１を埋設してもよい。ガイドレール１１を磁性材により形成した場合には、ガイドレール１１の最上端部あるいは最下端部内に磁石４２を設けるだけでよい。また、後述する実施例７−９においても、蝶番４３、磁性体４１および磁石４２を設けてガイドレール１１を上下の二つ折りに折り畳めるようにしてもよい。
【００６８】
〔実施例７の構成〕
図１３は本発明の実施例７を示す。実施例７が実施例６と異なるところは、ピボット部５０を径小の支軸部５１と有端フック環５２とから構成したことである。
実施例７におけるガイドレール１１は、図１３（ａ）に示すように、段部５３、５４を設け、段部５３、５４間を径小の支軸部５１としている。
ロッド３２の先端部３２ａには、支軸部５１に対応する有端フック環５２を頸部５２ｅから一体に延出形成している。
【００６９】
有端フック環５２は、支軸部５１に対して上下方向に往復回動可能に嵌め込まれて、支持筒部３０に対して上下方向に傾動可能となっている（図１３（ｂ）参照）。
螺子部５５は、頭部５５ａを操作して、有端フック環５２に螺子孔（図示せず）を介してねじ込むことにより、螺子部５５の先端部が支軸部５１の外表面に圧接する。これにより、有端フック環５２は、支持筒部３０に対してガイドレール１１と一緒に任意の上下の回動角度に位置保持することができる。
【００７０】
実施例７におけるピボット部５０は、支軸部５１と有端フック環５２から成るので、ピボット部５０が簡素な構造になり、省スペース化およびコストの低廉化に寄与する。
なお、有端フック環５２を支軸部５１に嵌め込む際、有端フック環５２の表面部がガイドレール１１の外表面と段差の生じない面一になるのが好ましい。
【００７１】
〔実施例８の構成〕
図１４および図１５は本発明の実施例８を示す。実施例８が実施例７と異なるところは、ピボット部６０を直線溝６１とコ字状のコ字状の側路長部６２とから構成したことである。
直線溝６１は、図１４に示すように、ロッド３２の先端３２ａに横方向に貫通する状態で形成されている。側路長部６２は、直線部６２ａと両側の短腕部６２ｂ、６２ｃから成り、ガイドレール１１のロッド３２に対応する位置の外周側に一体に形成されている。
【００７２】
側路長部６２の直線部６２ａは、直線溝６１内で上下に回動調整可能に摩擦係合されている。
ピボット部６０を形成するには、図１５に示すように、ロッド３２の先端面３２ｅに断面半円状の下条溝６０ａを形成し、補填盤６０ｂの裏面側に上条溝６０ｃを形成しておく。下条溝６０ａと上条溝６０ｃとが直線溝６１を構成し、直線部６２ａを下条溝６０ａと上条溝６０ｃとに嵌合させるようにして、補填盤６０ｂをロッド３２の先端面３２ｅに同軸状態で密着固定する。これにより、直線部６２ａが直線溝６１を介してロッド３２の先端に貫通された状態に組み付けられる。
【００７３】
螺子部６５は、頭部６５ａを操作して、直線溝６１に螺子孔６５ｃを介してねじ込むことにより、螺子部６５の先端部が直線部６２ａに圧接する。これにより、直線部６２ａは、支持筒部３０に対してガイドレール１１と一緒に任意の上下の回動角度に位置保持することができる。
なお、直線溝６１は、ロッド３２の軸に対して直角ばかりでなく、直角以外の傾斜角度で貫通形成してもよい。直線部６２ａは、直線溝６１内で不動状態に摩擦係合されるので、螺子部６５は、入念的に設けるものであり、不要な場合には省いてもよい。
【００７４】
〔実施例９の構成〕
図１６は本発明の実施例９を示す。実施例９が実施例８と異なるところは、ピボット部６０の直線溝６１に代わって、ロッド３２の先端面３２ｅから軸方向Ｗに沿って下方に延出する縦軸溝６７を切欠き状に形成したことである。
実施例９では、縦軸溝６７の横幅寸法Ｄｅを直線部６２ａの外径寸法Ｄｆに応じた寸法にして、直線部６２ａを縦軸溝６７内に嵌合して上下回動とともに、左右方向にも回動自在となるように摩擦係合させている（図１６の矢印Ｊ１、Ｊ２参照）。
【００７５】
この場合、螺子部６５を操作して、縦軸溝６７に螺子孔（図示せず）を介してねじ込むことにより、螺子部６５の先端部が直線部６２ａに圧接する。これにより、直線部６２ａは、支持筒部３０に対してガイドレール１１と一緒に任意の上下回動とともに、左右方向にも回動し、所望の回動角度に位置保持することができる。
なお、ピボット部６０の直線部６２ａには、合成樹脂製あるいは金属製のスリーブ（図示せず）を密着状態に被着させ、直線部６２ａをスリーブと一緒に縦軸溝６７内に摩擦回動自在に嵌合してもよい。
【００７６】
〔実施例１０の構成〕
図１７は本発明の実施例１０を示す。実施例１０が実施例５と異なるところは、ガイドレール１１に周溝７０を周方向に設けたことである（図１７（ａ）、（ｂ）参照）。
周溝７０は、ガイドレール１１の周方向いっぱいに形成されており、周溝７０内に配置された索条体７１は、ゴム紐や引張コイルスプリングなどの伸縮変位可能な弾性体から形成されている。
すなわち、索条体７１の一端は、ガイドレール１１の左端側において、凹陥状の周溝７０の内底部に固定されている。索条体７１の他端は、ガイドレール１１の下端近傍において、周溝７０内に位置し、クラブシャフト１２ａの先端部に着脱可能に装着されるフック部７２に連結されている（図１７（ｃ）参照）。
【００７７】
ガイドレール１１の使用時、使用者はクラブシャフト１２ａの先端部にフック部７２を装着し、クラブシャフト１２ａをガイドレール１１に沿わせて摺動するスイングの練習を始める。
ゴルフクラブ１２を図１７（ａ）に矢印Ｙで示す方向に振る度に、索条体７１が伸長変位をするため、ゴルフクラブ１２には、伸長変位に基づく弾性抵抗力が負荷として漸増しながら加わる。このため、索条体７１により使用者のスイング力が鍛練されてスイング動作の上達に寄与する。
なお、実施例１０に付設した周溝７０および索条体７１については、同様の態様で実施例１−９の各々にも設けるようにしてもよい。
【００７８】
〔実施例１１の構成〕
本発明の実施例１１は図示はしないが、実施例１１が実施例１−１０と異なるところは、クラブシャフト１２ａの先端部に嵌めたプラスチック製のパッドＰｅに代わって、磁石製の帯体（図示せず）を取着させたことである。
この場合、ガイドレール１を磁性材製の金属により形成しており、ゴルフクラブ１２をスイングする際、クラブシャフト１２ａの帯体をガイドレール１１に磁気力により吸着させた状態でスライドさせることになる。
すなわち、クラブシャフト１２ａをスイング面１１Ａに沿ってスイングする際、帯体の磁気力によりクラブシャフト１２ａのガイドレール１１に対する保持力が働く。この保持力は、スイングの状態によって微妙に変動するので、使用者が自分のスイングの癖に気付き易くなり癖を矯正することに役立つ。
【００７９】
〔変形例〕
（ａ）実施例１では、ガイドレール１を合成樹脂材としてポリアミド（ＰＡ）やポリエステルにより形成したが、合成樹脂としては、ポリイミド、ポリアミドイミド、ポリアセタール、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）、ポリテトラフルオロエチレン（ＰＴＦＥ）あるいはシンジオタクチックポリスチレン（ＳＰＳ）などのプラスチック材料を用いてもよい。
【００８０】
（ｂ）実施例１では、ガイドレール１１を金属としては、ステンレス鋼材により形成したが、金、銀、銅、鉄、真鍮、ジュラルミン、アルミニウムあるいはニッケル合金などの金属材料でもよく、もしくはガイドレール１１を軽量の木材から形成してもよい。
（ｃ）実施例６では、ガイドレール１１に磁性体４１および磁石４２を埋設により設けたが、磁性体４１および磁石４２は、ガイドレール１１の成形時にインサート成形により設けてもよい。
（ｄ）簡易型ゴルフ練習装置１の設置場所としては、専用トレーニング場、ゴルフ場やスポーツ施設を始め、一般の庭付き住宅やオフィス街の建物の屋上でもよく、要はゴルフクラブ１２をスイング面１１Ａに沿ってスイング練習可能な場所であればよい。
【産業上の利用可能性】
【００８１】
本発明に係る簡易型ゴルフ練習装置では、スイングの練習時、ロッドを軸周り方向に回動させたり、上下方向に移動させることにより、ガイドレールの高さ寸法、スイング面の無方向の傾動、および傾き角度を調整可能にするといった調整機能の多様化が図られ、練習者の体格、練習内容に的確に対応することができる。これらの有用性に着目した関連事業からの需要が喚起されるため、関連部品の流通を介して機械産業に適用可能である。
【符号の説明】
【００８２】
１        簡易型ゴルフ練習装置
２        スタンド筒部（一対の支持部）
２ａ      水平筒部
２ｂ      垂直筒部
４        設置管部
６        第１ロッド
６Ａ      第１ロッドの先端
８、３０  支持筒部
９        第２ロッド
９Ａ      第２ロッドの先端
１１      ガイドレール
１１Ａ    スイング面
１２      ゴルフクラブ
１２ａ    クラブシャフト
１３、３３、５０、６０  ピボット部
１４、３６  球面部
１５、３４  凹陥部
１６      ユニバーサル・ジョイント
２１      第１ジョイント
２２      第２ジョイント
２３      第３ジョイント
３２      ロッド
３２ａ    ロッドの先端
４１      磁性体
４２      磁石
４３      蝶番（ヒンジ部）
５１      支軸部
５２      有端フック部
６１      直線溝
６２      側路長部
７０      周溝
７１      索条体
７２      フック部
ＧＬ      簡易型ゴルフ練習装置の設置面
Ｈ        ガイドレールの高さ寸法
θ        ガイドレールの傾き角度
Ｕ        使用者
【図１】
2015037484.tif 000003
【図２】
2015037484.tif 000004
【図３】
2015037484.tif 000005
【図４】
2015037484.tif 000006
【図５】
2015037484.tif 000007
【図６】
2015037484.tif 000008
【図７】
2015037484.tif 000009
【図８】
2015037484.tif 000010
【図９】
2015037484.tif 000011
【図１０】
2015037484.tif 000012
【図１１】
2015037484.tif 000013
【図１２】
2015037484.tif 000014
【図１３】
2015037484.tif 000015
【図１４】
2015037484.tif 000016
【図１５】
2015037484.tif 000017
【図１６】
2015037484.tif 000018
【図１７】
2015037484.tif 000019